【手続補正書】
【提出日】令和2年2月20日(2020.2.20)
【手続補正１】
【補正対象書類名】特許請求の範囲
【補正対象項目名】全文
【補正方法】変更
【補正の内容】
【特許請求の範囲】
【請求項１】
フリップアンカーケーブル（４００）を配備するための挿入用具（１００）であって、
安全ボタン（２０４）とスライダ（２０２）とを有する機構（２００）であって、前記機構（２００）が第１の位置にあるときに、前記フリップアンカーケーブル（４００）の一部分に締付け力を加えるように構成されている、機構（２００）と、
前記機構（２００）に連結された近位端部を有するインナーチューブ（２０６）であって、前記フリップアンカーケーブル（４００）の第２の部分の収容をするように構成されている、インナーチューブ（２０６）と、
安全ボタン開口部（１１０）とスライダ開口部（１０８）とを含んだハンドル（１０２）であって、前記機構（２００）の一部分を囲むように構成されている、ハンドル（１０２）と、
前記ハンドル（１０２）に連結された近位端部を有するアウターチューブ（３００）であって、前記インナーチューブ（２０６）を受容するように構成されている、アウターチューブ（３００）と、を備え、
前記機構（２００）は、前記機構（２００）が第２の位置にあるときに前記フリップアンカーケーブル（４００）にかかる前記締付け力を低下させるように、また前記第２の位置において前記フリップアンカーケーブル（４００）のフリップアンカー（４０６）を配備するように構成されており、
前記機構（２００）は、
安全ボタン突出部（２２０）と、
前記安全ボタン（２０４）を押下位置に固定するために前記安全ボタン（２０４）が押下されているときに、前記安全ボタン突出部（２２０）と係合するように構成された安全ボタンリテーナ（２１８）と、を更に備えることを特徴とする、挿入用具（１００）。
【請求項２】
前記安全ボタン（２０４）が前記押下位置にあることは、スライド力を前記スライダ（２０２）に加えることによって前記機構（２００）を前記第２の位置に配置することを可能にする、請求項１に記載の挿入用具（１００）。
【請求項３】
前記機構（２００）は、
ケーブル保持部材（２１２）と、
前記ケーブル保持部材（２１２）に連結されたケーブル保持突出部（２１６）であって、前記第１の位置において前記フリップアンカーケーブル（４００）に前記締付け力を加えるように構成されている、ケーブル保持突出部（２１６）と、を更に備える、請求項１に記載の挿入用具（１００）。
【請求項４】
前記ハンドル（１０２）は、前記ケーブル保持部材（２１２）と係合して前記第１の位置において前記フリップアンカーケーブル（４００）に前記締付け力を加えるように構成されたケーブル保持ストッパー（１１６）を更に備え、
好ましくは、前記ケーブル保持部材（２１２）は、前記第２の位置において前記ケーブル保持ストッパー（１１６）と係合して、前記機構（２００）が前記第１の位置に復帰することを防止するように構成されている、請求項３に記載の挿入用具（１００）。
【請求項５】
前記機構（２００）は、
ケーブル保持部材（２１２）と、
前記ケーブル保持部材（２１２）に連結されたロッキング部材（２１４）と、を更に備え、
前記ハンドル（１０２）は、前記第２の位置において前記ロッキング部材（２１４）と係合して、前記機構（２００）が前記第１の位置に復帰することを防止するように構成された使い捨てストッパー（１１８）を更に備え、
好ましくは、前記ロッキング部材（２１４）は、スライド力が前記スライダ（２０２）に加えられた際に前記機構（２００）が前記第１の位置から前記第２の位置へとスライドするとき、前記ロッキング部材（２１４）が前記使い捨てストッパー（１１８）の上方でスライドすると音を発生させるように構成されている、請求項１に記載の挿入用具（１００）。
【請求項６】
前記ハンドル（１０２）は前記ハンドル（１０２）の外部に方向インジケータ（２３０）を含むか、又は、
前記ハンドル（１０２）は、前記ハンドル（１０２）内部の前記フリップアンカーケーブル（４００）を固定するように構成された複数のケーブルステー（１２４）を含むか、又は、
前記ハンドル（１０２）は、前記ハンドル（１０２）内部の前記フリップアンカーケーブル（４００）を展開するのを容易にするように構成された複数のケーブルガイド（１１４）を含むか、又は、
前記ハンドル（１０２）は、前記ハンドル（１０２）内部の前記フリップアンカーケーブル（４００）のケーブルロッド（４０４）を固定するように構成されたケーブルロッド支持体（１１２）を含むか、又は、
前記アウターチューブ（３００）の遠位端部は、前記フリップアンカー（４０６）の近位端部を受容して前記フリップアンカー（４０６）を固定するように構成されており、好ましくは、前記インナーチューブ（２０６）は、前記フリップアンカー（４０６）の前記近位端部と係合するように構成され、かつスライド力が前記スライダ（２０２）に加えられた際に前記機構（２００）が前記第１の位置から前記第２の位置にスライドするときに前記アウターチューブ（３００）の前記遠位端部から前記フリップアンカー（４０６）の前記近位端部を押し出すように構成された遠位端部を有するか、又は、
前記収容は、前記フリップアンカーケーブル（４００）の第３の部分及び前記フリップアンカーケーブル（４００）の前記第３の部分に取り付けられた前記ケーブルロッド（４０４）を囲むように構成されている、請求項１に記載の挿入用具（１００）。
【請求項７】
前記機構（２００）は、
前記安全ボタン（２０４）及び前記スライダ（２０２）に連結されたボタン支持部材（２０８）と、
前記ボタン支持部材（２０８）に柔軟に連結された中央支持部材（２１０）と、
前記中央支持部材（２１０）に柔軟に連結されたケーブル保持部材（２１２）と、を更に備え、
好ましくは、
前記安全ボタンリテーナ（２１８）は、前記中央支持部材（２１０）に連結されており、前記安全ボタン（２０４）を押下位置に固定するために前記安全ボタン（２０４）が押下されているときに前記安全ボタン突出部（２２０）と係合するように構成されており、
前記ケーブル保持部材（２１２）に連結されたケーブル保持突出部（２１６）であって、前記第１の位置において前記フリップアンカーケーブル（４００）に前記締付け力を加えるように構成されている、ケーブル保持突出部（２１６）と、
前記ケーブル保持部材（２１２）に連結されたロッキング部材（２１４）と、を更に備える、請求項１に記載の挿入用具（１００）。
【請求項８】
挿入用具（１００）であって、
フリップアンカー（４０６）とケーブルロッド（４０４）とケーブル（４０２）とを含んだフリップアンカーケーブル（４００）であって、該ケーブル（４０２）は、遠位端部において前記フリップアンカー（４０６）に連結され、近位端部において前記ケーブルロッド（４０４）に連結されている、フリップアンカーケーブル（４００）と、
安全ボタン（２０４）とスライダ（２０２）とを有する機構（２００）であって、前記機構（２００）が第１の位置にあるときに、前記フリップアンカーケーブル（４００）の第１の部分に締付け力を加えるように構成されている、機構（２００）と、
前記機構（２００）に連結された近位端部を有するインナーチューブ（２０６）であって、前記フリップアンカーケーブル（４００）の第２の部分の収容をするように構成されている、インナーチューブ（２０６）と、
安全ボタン開口部（１１０）とスライダ開口部（１０８）とを含んだハンドル（１０２）であって、前記機構（２００）の一部分を囲むように構成されている、ハンドル（１０２）と、
前記ハンドル（１０２）に連結された近位端部を有するアウターチューブ（３００）であって、前記インナーチューブ（２０６）を受容するように構成されている、アウターチューブ（３００）と、を備え、
前記機構（２００）は、前記機構（２００）が第２の位置にあるときに前記フリップアンカーケーブル（４００）にかかる前記締付け力を低下させるように、また前記第２の位置において前記フリップアンカーケーブル（４００）の前記フリップアンカー（４０６）を配備するように構成されており、
前記機構（２００）は、
安全ボタン突出部（２２０）と、
前記安全ボタン（２０４）を押下位置に固定するために前記安全ボタン（２０４）が押下されているときに、前記安全ボタン突出部（２２０）と係合するように構成された安全ボタンリテーナ（２１８）と、を更に備えることを特徴とする、挿入用具（１００）。
【請求項９】
前記フリップアンカー（４０６）は、前記フリップアンカー（４０６）を固定するために前記アウターチューブ（３００）の遠位端部内部にある近位端部を含み、
好ましくは、前記フリップアンカー（４０６）は前記近位端部に隣接するショルダー（４１０）を含み、前記ショルダー（４１０）は、前記インナーチューブ（２０６）の遠位端部と係合するように構成されており、前記インナーチューブ（２０６）の前記遠位端部は、スライド力が前記スライダ（２０２）に加えられた際に前記機構（２００）が前記第１の位置から前記第２の位置にスライドするときに、前記ショルダー（４１０）を押し進めて前記フリップアンカー（４０６）を前記アウターチューブ（３００）の前記遠位端部から外に移動させる、請求項８に記載の挿入用具（１００）。
【請求項１０】
前記フリップアンカー（４０６）は前記近位端部に隣接する前記ショルダー（４１０）を含み、前記ショルダー（４１０）は、前記インナーチューブ（２０６）の遠位端部と係合するように構成されており、前記インナーチューブ（２０６）の前記遠位端部は、前記スライド力が前記スライダ（２０２）に加えられた際に前記機構（２００）が前記第１の位置から前記第２の位置にスライドするときに、前記ショルダー（４１０）を押し進めて前記フリップアンカー（４０６）を前記アウターチューブ（３００）の前記遠位端部から外に移動させ、前記フリップアンカー（４０６）は、前記インナーチューブ（２０６）の前記遠位端部が前記ショルダー（４１０）を押し進めて前記フリップアンカー（４０６）を前記遠位端部から外に移動させるときに、前記フリップアンカー（４０６）の前記近位端部が前記ケーブル（４０２）から離れて回転することによって配備される、請求項９に記載の挿入用具（１００）。
【請求項１１】
前記収容は、前記ケーブル（４０２）の第３の部分及び前記ケーブルロッド（４０４）を囲むように構成されている、請求項８に記載の挿入用具（１００）。
【請求項１２】
フリップアンカーケーブル（４００）を配備するための挿入用具（１００）のための機構（２００）であって、
安全ボタン（２０４）と、
スライダ（２０２）と、
前記安全ボタン（２０４）及び前記スライダ（２０２）に連結されたボタン支持部材（２０８）と、
前記ボタン支持部材（２０８）に柔軟に連結された中央支持部材（２１０）と、
安全ボタン突出部（２２０）と、
前記中央支持部材（２１０）に柔軟に連結されたケーブル保持部材（２１２）であって、
前記機構（２００）が第１の位置にあるときに前記フリップアンカーケーブル（４００）の一部分に締付け力を加え、
前記機構（２００）が第２の位置にあるときに前記フリップアンカーケーブル（４００）への前記締付け力を低減するように構成された、ケーブル保持部材（２１２）と、を備え、
前記機構（２００）は、前記安全ボタン（２０４）を押下位置に固定するために前記安全ボタン（２０４）が押下されているときに、前記安全ボタン突出部（２２０）と係合するように構成された安全ボタンリテーナ（２１８）を更に備えることを特徴とする、機構（２００）。
【請求項１３】
前記安全ボタン（２０４）が前記押下位置にあることは、スライド力を前記スライダ（２０２）に加えることによって前記機構（２００）を前記第２の位置に配置することを可能にする、請求項１２に記載の機構（２００）。
【請求項１４】
前記ケーブル保持部材（２１２）は、前記ケーブル保持部材（２１２）に連結されたケーブル保持突出部（２１６）を更に備え、前記ケーブル保持突出部（２１６）は、前記第１の位置において前記フリップアンカーケーブル（４００）に前記締付け力を加えるように構成されている、請求項１２に記載の機構（２００）。
【請求項１５】
前記機構（２００）は、前記挿入用具（１００）のハンドル（１０２）上の使い捨てストッパー（１１８）と係合するように構成された前記ケーブル保持部材（２１２）に連結されたロッキング部材（２１４）を更に備え、前記ロッキング部材（２１４）は、前記機構（２００）が前記第１の位置に復帰するのを防止するために、前記第２の位置において前記使い捨てストッパー（１１８）と係合するように構成されている、請求項１２に記載の機構（２００）。